(57)【要約】【課題】  本発明は釣服に関し、ポケットの中に複数の釣具等を収納した際に、収納した物が混在することがなく、また、必要に応じ、大きな物も収納することのできるポケットを備えた釣服を提供することを目的とする。【解決手段】  請求項１に係る発明は、ポケットを有する釣服に於て、当該ポケット内に、少なくともその一部がポケットの内側に着脱自在な仕切部を設けたことを特徴とする。  そして、請求項２に係る発明は、請求項１に記載の釣服に於て、仕切部は、ポケット内から取り外し可能であることを特徴とし、請求項３に係る発明は、請求項１に記載の釣服に於て、仕切部は、その一部がポケットの内側に固着されていることを特徴とする。【選択図】    図２
2006265749.tif 000002
【特許請求の範囲】
【請求項１】
ポケットを有する釣服に於て、当該ポケット内に、少なくともその一部がポケットの内側に着脱自在な仕切部を設けたことを特徴とする釣服。
【請求項２】
仕切部は、ポケット内から取り外し可能であることを特徴とする請求項１に記載の釣服。
【請求項３】
仕切部は、その一部がポケットの内側に固着されていることを特徴とする請求項１に記載の釣服。
【請求項４】
仕切部は、少なくともその一部が折り曲げ可能であることを特徴とする請求項１乃至請求項３のいずれか１項に記載の釣服。
【請求項５】
ポケット内に、仕切部の不使用時に当該仕切部を位置決め保持する保持部を設けたことを特徴とする請求項１乃至請求項４のいずれか１項に記載の釣服。
【請求項６】
仕切部が取り付く部位は複数の層で構成されて、仕切部が取り付く層とその外側の層が非接合状態にあることを特徴とする請求項１乃至請求項５のいずれか１項に記載の釣服。
【請求項７】
仕切部が取り付く部位の少なくともその一部は、仕切部よりも伸びのある材料で形成されていることを特徴とする請求項１乃至請求項６のいずれか１項に記載の釣服。
【発明の詳細な説明】
【技術分野】
【０００１】
本発明は、釣具等を収納するポケットに改良を加えた釣服に関する。
【背景技術】
【０００２】
従来から釣服には、釣用の仕掛けや釣具等を収納する複数のポケットが設けられており、釣人は釣りに応じて夫々のポケット内に必要な仕掛けや釣具等を収納している。
ところが、１つのポケット内に複数の釣具を収納することも多く、このような場合、ポケット内に収納した大小様々な物が混在し、取り出す際にも手で収納物を探るような事も多く見られ、必要なものを取り出す際に手間取っているのが実情である。
【０００３】
また、特許文献１には、表面部材の両側に連結する一対の側面部材を下側から上側に向けて広幅な蛇腹状に形成した釣服（釣用ベスト）のポケットが開示されており、このポケットは、使用時にこれを引き伸ばして上部の開口部を開放し、閉鎖時には蛇腹を畳んで開口部を蓋体等で閉じるようになっている。
【特許文献１】実開昭６０−８６５２５号公報
【発明の開示】
【発明が解決しようとする課題】
【０００４】
而して、特許文献１に開示されたポケットは、収納する物の大きさによって開口部の大きさを変えることができるが、ポケットの中で収納した物が混在し、このため、必要な物を取り出す際に、依然として手間取ってしまうのが実情であった。
本発明は斯かる実情に鑑み案出されたもので、ポケットの中に複数の釣具等を収納した際に、収納した物が混在することがなく、また、必要に応じ、大きな物も収納することのできるポケットを備えた釣服を提供することを目的とする。
【課題を解決するための手段】
【０００５】
斯かる目的を達成するため、請求項１に係る発明は、ポケットを有する釣服に於て、当該ポケット内に、少なくともその一部がポケットの内側に着脱自在な仕切部を設けたことを特徴とする。
そして、請求項２に係る発明は、請求項１に記載の釣服に於て、仕切部は、ポケット内から取り外し可能であることを特徴とし、請求項３に係る発明は、請求項１に記載の釣服に於て、仕切部は、その一部がポケットの内側に固着されていることを特徴とする。
【０００６】
また、請求項４に係る発明は、請求項１乃至請求項３のいずれか１項に記載の釣服に於て、仕切部は、少なくともその一部が折り曲げ可能であることを特徴とし、請求項５に係る発明は、請求項１乃至請求項４のいずれか１項に記載の釣服に於て、ポケット内に、仕切部の不使用時に当該仕切部を位置決め保持する保持部を設けたことを特徴とする。
更に、請求項６に係る発明は、請求項１乃至請求項５のいずれか１項に記載の釣服に於て、仕切部が取り付く部位は複数の層で構成されて、仕切部が取り付く層とその外側の層が非接合状態にあることを特徴とし、請求項７に係る発明は、請求項１乃至請求項６のいずれか１項に記載の釣服に於て、仕切部が取り付く部位の少なくともその一部は、仕切部よりも伸びのある材料で形成されていることを特徴としている。
【発明の効果】
【０００７】
請求項１乃至請求項４に係る発明によれば、ポケット内を仕切部で細かく仕切ったり、仕切りが不要な場合には、仕切りをなくしてポケット内を広くできるので、ポケット内に複数の釣具等を収納する際に、釣具等を混在させることなく仕切って収納することができると共に、必要に応じ、仕切りを除いて大きな物も収納することができる利点を有する。
そして、請求項５に係る発明によれば、仕切部が必要ないときに、保持部に仕切部を位置決め保持しておけば、物の出し入れに仕切部が邪魔になることがなく、また、請求項６及び請求項７に係る発明の如く仕切部が取り付く層とその外側の層を非接合状態にしたり、仕切部が取り付く部位の少なくともその一部を、仕切部よりも伸びのある材料で形成することで、仕切部の操作時に無理な力を掛けても、仕切部の取付部位が破けることがない利点を有する。
【発明を実施するための最良の形態】
【０００８】
以下、本発明の実施形態を図面に基づいて詳細に説明する。
図１及び図２は請求項１，請求項３乃至請求項７に係る発明を適用した釣用ベストの一実施形態を示し、図１に於て、１は釣用ベスト３の前身頃、５は後身頃で、図２に示すように両身頃１，５は、夫々、合成樹脂繊維で形成されたメッシュ素材からなる内側シート７と外側シート９を、その周縁部を除き非接合状態で重合させた２層構造とされており、前身頃３の合わせ部に樹脂製のチャック１１が縫着されている。
【０００９】
そして、前身頃１の左前身頃１ａと右前身頃１ｂの胸部と腹部に、夫々、樹脂製のチャック１３，１５が取り付く大小２種類のポケット１７，１９，２１，２３が左右対称に縫着されており、本実施形態は、左前身頃１ａと右前身頃１ｂの腹部に取り付く左右対称なポケット２１，２３内に、夫々、図２の如く２枚の仕切部２５，２７を取り付けたもので、以下、一方のポケット２３の構成について説明し、他方のポケット２１はポケット２３と左右対称な同一構造のため、その説明は省略する。
【００１０】
図示するようにポケット２３は、合成樹脂繊維の織布を所定形状に裁断した内側シート２９と外側シート３１を非接合状態で重合させて、両シート２９，３１の下縁部と右側縁部を右前身頃１ｂの内，外側シート７，９に縫着すると共に、両シート２９，３１の上縁部と左側縁部を、チャック１５のチャックテープ１５ａ，１５ｂで内，外側シート７，９に取り付けて、内部に大きな容量の収納部３３を確保して形成されており、ポケット２３全体は、左側上部角部３５がアール状に丸みを帯びた正面視矩形状とされている。
【００１１】
そして、チャック１５の操作部１５ｃを、ポケット２３の左側下部から上部角部３５を経て上部に沿って移動させると、内側シート２９と外側シート３１が前方（図１中、矢印Ａ方向）へ垂れて、ポケット２３の開口部（図示せず）が、ポケット２３の左側側部から上部に亘って開口するようになっている。そして、図２に示すようにポケット２３内に、２枚の同一形状の仕切部２５，２７が取り付けられている。
【００１２】
仕切部２５，２７は、短冊状に裁断した合成樹脂繊維の織布を複数枚接合して、内側シート２９や外側シート３１に比し硬質で、幾分可撓性を以って形成されている。そして、図２に示すように両仕切部２５，２７は、夫々、前側（釣用ベスト３の前側）端部に形成された折曲片３７，３９が内側シート２９の内面に縫着されると共に、当該折曲片３７，３９の折曲部４１，４３で仕切部２５，２７が、夫々、矢印Ｂ，Ｃ方向へ折り曲げ可能となっている。
【００１３】
一方、仕切部２５，２７の後側（後身頃５側）端部にも折り曲げ可能な折曲片４５，４７が設けられており、その裏面側にベルベット式ファスナ（雄）４９，５１が縫着されている。
そして、上記ベルベット式ファスナ（雄）４９，５１に対し、ポケット２３内の前身頃１の外側シート９に、当該外側シート９に縫着された合成樹脂繊維の織布からなる１枚のシート状の台座５３を介してベルベット式ファスナ（雌）５５，５７が配置されており、当該ベルベット式ファスナ（雌）５５，５７に仕切部２５，２７側のベルベット式ファスナ（雄）４９，５１を接合すると、図２の実線で示すようにポケット２３の収納部３３が細かく３つに区画されるようになっている。
【００１４】
尚、台座５３によって、メッシュ素材からなる外側シート９にベルベット式ファスナ（雄）４９，５１が接触し、引っ掛かることが防止されている。
また、図２に示すように仕切部２５，２７の折曲片３７，３９が取り付く内側シート２９の内面には、ベルベット式ファスナ（雄）４９，５１をベルベット式ファスナ（雌）５５，５７から剥がして、折曲片４５，４７を伸ばし乍ら、仕切部２５，２７を矢印Ｂ方向へ倒した際に、仕切部２５，２７を内側シート２９に沿って位置決め保持するベルベット式ファスナ（雌）５９，６１が保持部として縫着されており、図２の二点鎖線の如くベルベット式ファスナ（雌）５９，６１にベルベット式ファスナ（雄）４９，５１を接合して仕切部２５，２７を内側シート２９に沿って位置決めすると、ポケット２３内に仕切りのない大きな１つの収納部３３が広がるようになっている。
【００１５】
そして、ベルベット式ファスナ（雌）５９，６１からベルベット式ファスナ（雄）４９，５１を剥がし、仕切部２５，２７を矢印Ｃ方向へ展開してベルベット式ファスナ（雄）４９，５１をベルベット式ファスナ（雌）５５，５７に接合させると、既述したように収納部３３が細かく３つに区画され、また、例えばベルベット式ファスナ（雌）５９からベルベット式ファスナ（雄）４９を剥がし、仕切部２５のみを矢印Ｃ方向へ展開してベルベット式ファスナ（雌）５５に接合させれば、収納部３３が仕切部２５で２つに区画されることとなる。
【００１６】
本実施形態はこのように構成されているから、ポケット２１，２３内に仕掛けや釣具等を収納するに当たり、ポケット２１，２３内を夫々細かく仕切る必要があるならば、図２の実線で示すようにベルベット式ファスナ（雌）５５，５７にベルベット式ファスナ（雄）４９，５１を接合して、ポケット２１，２３内の収納部３３を仕切部２５，２７で細かく３つに区画すればよく、また、例えば一方のポケット２３に大きな釣具を入れるために仕切りが不要な場合には、ベルベット式ファスナ（雌）５９，６１にベルベット式ファスナ（雄）４９，５１を接合して、仕切部２５，２７を内側シート２９に沿って図２の二点鎖線の如く位置決めしておけば、ポケット２３内に仕切りのない大きな１つの収納部３３が広がり、物の出し入れに仕切部２５，２７が邪魔になることもない。
【００１７】
そして、内側シート７と外側シート９はメッシュ素材で形成されているため、仕切部２５，２７に比し引っ張った際に伸び易く、また、内側シート７と外側シート９，内側シート２９と外側シート３１は、夫々、非接合状態で重合した構造となっているから、ベルベット式ファスナ（雄）４９，５１をベルベット式ファスナ（雌）５５，５７やベルベット式ファスナ（雌）５９，６１から剥がす際に無理な力を掛けても、内側シート７及び特に仕切部２５，２７を保持する外側シート９が伸び、外側シート９，内側シート２９が内側シート７，外側シート３１に対して自由に動くため、折曲片３７，３９やベルベット式ファスナ（雌）５５，５７，ベルベット式ファスナ（雌）５９，６１の縫着箇所が破けることが防止され、また、仕切部２５，２７で仕切った状態を維持するベルベット式ファスナ（雄）４９，５１とベルベット式ファスナ（雌）５５，５７等の止着部が剥がれてその止着が解除されてしまうことが防止される。
【００１８】
このように本実施形態は、ポケット２１，２３内の収納部３３を仕切部２５，２７で細かく仕切ったり、仕切りが不要な場合には、仕切部２５，２７を内側シート２９の内面に沿って位置決め保持して、１つの広い収納部３３を確保することができるので、ポケット２１，２３内に複数の釣具等を収納する際に、釣具等を混在させることなく仕切って収納することができると共に、必要に応じ、仕切りを除いて大きな物も収納することができる利点を有する。
【００１９】
また、斯様に仕切りを除いた際には、仕切部２５，２７を内側シート２９に沿って図２の二点鎖線の如く位置決め保持することができるため、物の出し入れに仕切部２５，２７が邪魔になることがなく、更にまた、既述したように外側シート９を伸縮性のあるメッシュ素材で形成し、且つ内側シート７と外側シート９，内側シート２９と外側シート３１を非接合状態としたことで、ベルベット式ファスナ（雄）４９，５１をベルベット式ファスナ（雌）５５，５７やベルベット式ファスナ（雌）５９，６１から剥がす際に、無理な力を掛けても折曲片３７，３９やベルベット式ファスナ（雌）５５，５７，ベルベット式ファスナ（雌）５９，６１の縫着箇所が破けることがない利点を有する。
【００２０】
尚、上記実施形態では、仕切部２５，２７の折曲片３７，３９を内側シート２９の内面に縫着したが、当該折曲片３７，３９とこれに対向する内側シート２９の内面にベルベット式ファスナを縫着して、仕切部２５，２７が不要な場合に、仕切部２５，２７全体をポケット２１，２３内から取り外せるようにしてもよく、斯かる実施形態によっても、上記実施形態と同様、所期の目的を達成することが可能で、この場合、仕切部２５，２７を硬質の樹脂材料で形成してもよい。
【図面の簡単な説明】
【００２１】
【図１】請求項１，請求項３乃至請求項７に係る発明を適用した釣用ベストの一実施形態の正面図である。
【図２】図１のII−II線断面図である。
【符号の説明】
【００２２】
１  前身頃
３  釣用ベスト
５  後身頃
７，２９  内側シート
９，３１  外側シート
１１，１３，１５  チャック
１７，１９，２１，２３  ポケット
２５，２７  仕切部
３３  収納部
３７，３９，４５，４７  折曲片
４１，４３  折曲部
４９，５１  ベルベット式ファスナ（雄）
５３  台座
５５，５７，５９，６１  ベルベット式ファスナ（雌）
【図１】
2006265749.tif 000003
【図２】
2006265749.tif 000004